(57)【要約】【課題】簡易な構成の発泡機構を有する吐出器を提供する。【解決手段】吐出器本体２の射出筒３４から延設された延長筒部５１と、この延長筒部５１の外周面へ泡吐出モード用第１位置と霧吐出モード用の第２位置との間でスライド可能に嵌合されたスライド筒５２とを設け、スライド筒５２の先部５３Ａから筒径方向内側へ前記延長筒部５１の開口面Ａの一部を覆う弾性突片５８が突設する。射出孔４４から吐出された霧状の液体が前記弾性突片５８に衝突して発泡する。射出筒３４の突出方向と逆向きに前記スライド筒５２を移動させると、弾性突片５８が根本部分付近で延長筒部５１の先端Ｅにより押し込まれて、前記開口面Ａから離れるように外方へ弾性屈曲し、前記射出孔４４から吐出された液体が弾性突片に衝突せずに霧状に外部へ放出される。【選択図】図１
2018016395.tif 000002
【特許請求の範囲】
【請求項１】
液体を霧状に吐出可能な射出孔(４４)を備えた射出筒(３４)を有し、容器体の口頸部へ装着することが可能である吐出器本体(２)と、
前記射出筒(３４)に設けられた発泡手段(５０)とを具備し、
この発泡手段は、
前記射出筒(３４)からその突出方向(Ｘ)へ延設された延長筒部(５１)と、
この延長筒部(５１)の外周面へ泡吐出モード用第１位置と霧吐出モード用の第２位置との間でスライド可能に嵌合されたスライド筒(５２)とを有し、
スライド筒(５２)が第１位置にある状態でスライド筒(５２)の先部(５３Ａ)から筒径方向内側へ前記延長筒部(５１)の開口面(Ａ)の一部を覆う少なくとも一つの弾性突片(５８)が突設されており、吐出器本体(２)を操作することにより、射出孔(４４)から吐出された霧状の液体が前記弾性突片(５８)に衝突して発泡するように設けられ、
前記射出筒(３４)の突出方向と逆向きに前記スライド筒(５２)を第１位置から第２位置へ移動させると、弾性突片(５８)がその根本付近で延長筒部(５１)の先端(Ｅ)により押し込まれて、前記開口面(Ａ)から離れるように外方へ弾性屈曲し、前記射出孔(４４)から吐出された液体が弾性突片に衝突せずに霧状に外部へ放出されるように設けられ、
スライド筒(５２)を第２位置から第１位置へ戻すと、前記延長筒部(５１)の先端(Ｅ)による押込みが解消されることで、弾性突片(５８)が弾性復元するように構成したことを特徴とする、泡・霧切替え式吐出器。
【請求項２】
前記スライド筒(５２)の先部(５３Ａ)から複数の弾性突片(５８)が相互に離して内方突出され、
これら弾性突片(５８)で覆われていない開口面(Ａ)部分に泡吐出用の放射状流路(Ｏ)が形成されるように構成したことをしたことを特徴とする、請求項１記載の泡・霧切替え式吐出器。
【請求項３】
前記スライド筒(５２)の先部(５３Ａ)の内面に、スライド筒(５２)の周方向に延びる弾性リブ(５６)を付設し、この弾性リブ(５６)の内縁から前記弾性突片(５８)を突出したことを特徴とする、請求項１又は請求項２記載の泡・霧切替え式吐出器。
【請求項４】
前記弾性突片(５８)は外端部(５８ａ)側で幅広であり、内端部(５８ｂ)へ向かうに従って先細になるように形成されたことを特徴とする、請求項１から請求項３のいずれに記載の泡・霧切替え式吐出器。
【発明の詳細な説明】
【技術分野】
【０００１】
本発明は、泡・霧切替式吐出器に関する。
【背景技術】
【０００２】
従来技術として、
前方へ突出する射出筒を有し、トリガーで操作できる吐出器本体と、
基板の後面から２重筒状の内筒及び外筒を後方突出し、その内筒を前記射出筒の外周面に嵌合するとともに、内筒内側の基板部分に射出孔を開口し、かつ前記基板の外周部から案内筒部を前方突出した基盤部材と、
前記案内筒部の外周面にスライド可能に嵌合させたスライド筒の前端から内向きフランジを介して発泡筒部を後方突出させた発泡手段と
を具備し、前記スライド筒の前後方向の進退により、射出孔から霧状の吐出された液体が発泡筒に衝突して泡として放出される泡吐出モードと、発泡筒に衝突せずに霧状のまま放出される霧吐出モードとを切り替えることが可能な泡・霧切替式吐出器が知られている（特許文献１）。
【先行技術文献】
【特許文献】
【０００３】
【特許文献１】特開平０９−２７８０５２
【発明の概要】
【発明が解決しようとする課題】
【０００４】
吐出器、特にトリガーで操作される吐出器では、全体を簡易な構成として小型に形成したいという要請がある。
特許文献１の吐出器での発泡の仕組みは構造が複雑であり、こうした小型のタイプの吐出器に適していない。
【０００５】
本発明の目的は、簡易な構成の発泡機構を有する吐出器、特に小型のタイプに適した簡易な構造の発泡機構を有する吐出器を提供することである。
【課題を解決するための手段】
【０００６】
第１の手段は、
液体を霧状に吐出可能な射出孔４４を備えた射出筒３４を有し、容器体の口頸部へ装着することが可能である吐出器本体２と、
前記射出筒３４に設けられた発泡手段５０とを具備し、
この発泡手段は、
前記射出筒３４からその突出方向Ｘへ延設された延長筒部５１と、
この延長筒部５１の外周面へ泡吐出モード用第１位置と霧吐出モード用の第２位置との間でスライド可能に嵌合されたスライド筒５２とを有し、
スライド筒５２が第１位置にある状態でスライド筒５２の先部５３Ａから筒径方向内側へ前記延長筒部５１の開口面Ａの一部を覆う少なくとも一つの弾性突片５８が突設されており、吐出器本体２を操作することにより、射出孔４４から吐出された霧状の液体が前記弾性突片５８に衝突して発泡するように設けられ、
前記射出筒３４の突出方向と逆向きに前記スライド筒５２を第１位置から第２位置へ移動させると、弾性突片５８が根本部分付近で延長筒部５１の先端Ｅにより押し込まれて、前記開口面Ａから離れるように外方へ弾性屈曲し、前記射出孔４４から吐出された液体が弾性突片に衝突せずに霧状に外部へ放出されるように設けられ、
スライド筒５２を第２位置から第１位置へ戻すと、前記延長筒部５１の先端Ｅによる押込みが解消されることで、弾性突片５８が弾性復元するように構成したことを特徴とする。
【０００７】
本手段では、吐出器本体２の射出筒３４から延設した延長筒部５１に、スライド筒５２をスライド可能に嵌合し、スライド筒５２が泡吐出モード用の第１位置にある状態で、そのスライド筒５２の先部５３Ａからその筒壁の内側へ少なくとも一つの弾性突片５８を突設している。この弾性突片５８は、前記延長筒部５１の開口面Ａの一部を覆っている。この状態で吐出器本体２を操作すると射出孔４４から吐出された霧状の液体が弾性突片５８に衝突して発泡する。スライド筒５２を霧吐出モード用の第２位置に移動すると、弾性突片５８が根本部分で延長筒部５１の先端Ｅに押し込まれて外側へ弾性屈折する。これにより、これにより射出孔４４から吐出した液体が弾性突片５８に衝突せずに霧として外部に放出される。延長筒部５１もスライド筒５２もそれぞれ簡単な構造なので、霧・泡切替式の吐出器を簡易な構成により構造で実現できる。
【０００８】
射出筒の突出方向は、図示例では、ほぼ水平方向へ突出しているが、その突出方向は任意である。
本明細書において、“先端”或いは“先部”とは、本体から外方へ突出する射出筒或いはこれに嵌合させたスライド筒の両端或いは両側のうち突出方向外側にある方をいい、“基端”又は“基部”とは、突出方向と反対側にある方をいうものとする。
「延長筒部」は、図示例では、射出筒とは別の部材として形成している。しかしながら、射出筒の筒体３４ａを射出孔４４より延長して延長筒部としても構わない。
【０００９】
第２の手段は、第１の手段を有し、かつ
前記スライド筒５２の先部５３Ａから複数の弾性突片５８が相互に離して内方突出され、
これら弾性突片５８で覆われていない開口面Ａ部分に泡吐出用の放射状流路Ｏが形成されるように構成したことをした。
【００１０】
本手段では、図３に示すように、スライド筒５２の先部５３Ａから突出する複数の弾性突片５８により、泡吐出用の放射状流路Ｏを形成することを提案している。これにより開口面Ａの広い範囲に亘って十分に液体を起泡させ、泡を放出させることができる。
【００１１】
第３の手段は、第１の手段かつ第２の手段を有し、かつ
前記スライド筒５２の先部５３Ａに、スライド筒５２の内側へ突出する弾性リブ５６を付設し、この弾性リブ５６の内縁から前記弾性突片５８を突出した。
【００１２】
本手段では、図２及び図３に示すようにスライド筒５２の筒壁と弾性突片５８の外端部（根元側の端部）との間に弾性リブ５６を介在させている。図４の霧吐出モードから図５の泡吐出モードに戻すときに、弾性リブ５６の弾性復元力も加わって元の状態に戻ろうとするため、より確実に元の状態に戻る。
【００１３】
第４の手段は、第１の手段から第３の手段のいずれかを有し、かつ
前記弾性突片５８は外端部５８ａ側で幅広であり、内端部５８ｂへ向かうに従って先細になるように形成された。
【００１４】
本手段では、図３に示すように、弾性突片５８は外端部５８ａ側で幅広であり、内端部５８ｂへ向かうに従って先細になるようにしている。これにより、開口面Ａの外周部でより多くの霧状液体が弾性突片５８に衝突するので、効率的に液体を起泡することができる。
【発明の効果】
【００１５】
第１の手段に係る発明によれば、延長筒部５１の外周面でのスライド筒５２のスライドにより、弾性突片５８が弾性変形或いは弾性復元して、泡吐出モードと霧吐出モードとを切り替えることができるので、使い勝手がよい。
第２の手段に係る発明によれば、スライド筒５２の先部５３Ａから複数の弾性突片５８が内方突出され、これら弾性突片５８で覆われていない開口面Ａ部分に、泡吐出用の放射状流路Ｏが形成されるから、満遍なく起泡することができる。
第３の手段に係る発明によれば、スライド筒５２の先部５３Ａの内面に、スライド筒５２の周方向に延びる弾性リブ５６を付設し、この弾性リブ５６の内縁から前記弾性突片５８を突出したから、弾性リブ５６の弾性復元力により、弾性突片５８が外方へ屈曲した状態から原位置へ復帰することを確実にすることができ、霧吐出モードから泡吐出モードへの切り替えを的確に実現することができる。
第４の手段に係る発明によれば、前記弾性突片５８は外端部５８ａ側が幅広であるので、射出孔４４から吐出される液体を効率的に起泡させることができる。
【図面の簡単な説明】
【００１６】
【図１】本発明の第１実施形態に係る泡・霧切替式吐出器の縦断面図である。
【図２】図１の吐出器の要部を側方から見た拡大図である。
【図３】図２の要部を正面方向から見た拡大図である。
【図４】図１の吐出器の霧吐出モードの説明図である。
【図５】図１の吐出器の泡吐出モードの説明図である。
【発明を実施するための最良の形態】
【００１７】
図１から図５は、本発明の第１実施形態に係る泡・霧切替式吐出器を示している。この泡・霧切替式吐出器は、吐出器本体２と、発泡手段５０とからなる。これら各部材は、合成樹脂又は金属で形成することができる。
説明の便宜上、まず本発明の基本的な構成から解説する。
【００１８】
吐出器本体２は、シリンダ４と、装着部材８と、保持部材１０と、カバー部材１２と、流路切替え用アダプタ１６と、作動部材２４とで構成されている。下記の吐出器本体の構造は、好適な一実施例であり、適宜変更することができる。本実施形態ではトリガー式の吐出器としているが、例えばヘッドを指で押し下げるような構造でも構わない。
【００１９】
前記シリンダ４は、容器体１００の口頸部１０２に装着するためのものであり、この口頸部１０２上端面への係止用の鍔部６を有し、鍔部６の内周部から垂下するシリンダ周壁を容器体１００内に垂下可能に設ける。鍔部６の上面からは取付筒部６ａを起立しており、鍔部６の裏面にはパッキンＰを形成する。
シリンダ４の下部内面には第１逆止弁Ｖ１を設けている。図示例の第１逆止弁Ｖ１は、シリンダ４は、シリンダ周壁の下部であるテーパ状部と玉弁とで形成している。
【００２０】
装着部材８は、前記口頸部１０２の外面へ嵌合（図示例では螺合）可能な装着筒部８ａと、装着筒部８ａの上端から内方突出した内向きフランジ８ｂとを有し、容器体の口頸部１０２の上端面との間に、鍔部６及びパッキンＰを挟持できるように設けている。
保持部材１０は、前記取付筒部６ａに嵌合させた保持筒部１０ａを有し、この保持筒部１０ａ上面に付設したリング状頂壁の内周から案内筒部１０ｂを起立している。
ここで実施形態では、便宜的に図１の左側に向かう方向を“前方”、同図の右側を“後方
”と称するものとする。前記保持筒部１０ａの後部側から支持突片１０ｃを起立しており、この上端にカバー部材１２との枢着部１０ｄを有する。
カバー部材１２は、前記枢着部１０ｄを介して前記支持突片１０ｃの上端に枢着され、かつこの枢着部よりも前方へトリガー１３を突出している。カバー部材１２には射出筒３４を挿通するための窓孔が開口されている。なお、カバー部材１２と保持部材１０との間には、カバー部材ロック用のストッパ部材１４が設けられており、当該ロックを解除しない限り、トリガーの操作ができないようにしている。
【００２１】
流路切替え用アダプタ１６は、第１筒状部材１６ａ及び第２筒状部材１６ｂで構成されている。
前記第１筒状部材１６ａは、その上半部と下半部との各内部を仕切る仕切り壁部１７を有し、この仕切り壁部１７の一部に通液孔１７ａを形成している。第１筒状部材１６ａの上半部は、前記シリンダ４の下部に嵌合されている。
また前記第２筒状部材１６ｂは、上下方向中間部が括れた形状としており、当該括れ箇所に連通口２０を有する。第２筒状部材１６ｂの上半部は前記第１筒状部材１６ａの下半部に嵌挿されており、かつ第２筒状部材１６ｂの下半部内には、吸上げパイプが嵌合されている。この吸上げパイプの下端には正立時用吸込口１９が開口されている。また第２筒状部材１６ｂの上半部内に倒立時用補助逆止弁Ｖ３が、かつその下半部内には、正立時用補助逆止弁Ｖ４がそれぞれ形成されている。
また前記連通口２０は、第１筒状部材１６ａ及び第２筒状部材１６ｂの各上半部の間に形成された共通流路２２及び前記通液孔１７ａを介して前記第１逆止弁Ｖ１に連通可能に設けられている。
【００２２】
作動部材２４は、ピストンガイド２６と、ステム３０と、筒状ピストン２８と、ヘッド３２とで構成されている。
前記ピストンガイド２６は、下端閉塞の縦筒部２６ａの下端に鍔状の弁座２６ｂを付設するとともに、弁座の下方へ横断面十字形の垂下板部２６ｃを垂設している。前記縦筒部２６ａの下部には連絡孔２７が開口されている。弁座２６ｂとシリンダ４との間にはコイルスプリングＣが介装されている。
前記ステム３０の上半筒部は、前記縦筒部２６ａに嵌着されて縦筒部の上方へ延びている。ステム３０の下方筒部は、上方筒部から拡開して下方へ延び、前記シリンダ４の上部内へ挿入されている。
前記筒状ピストン２８は、ピストンガイド２６の縦筒部２６ａ外面に嵌挿され、前記シリンダ４の内面に摺接されている。筒状ピストン２８は、弁座２６ｂとステム３０の下方筒部との間で相対的に上下動できるように形成されている。そして筒状ピストン２８と弁座２６ｂの上面とで第２逆止弁Ｖ２を形成している。
【００２３】
前記ヘッド３２は、裏面側から下方へ突出する連結筒部３２ａを有し、この連結筒部をステム３０に連結することにより、ステム３０の上部に付設されている。
ヘッド３２は、前記カバー部材１２の窓孔を介して前方へ突出する射出筒３４を有し、その突出方向の先端面３６に、液体を霧状の吐出することが可能な射出孔４４を開口している。
図示例の射出筒３４は、筒体３４ａと、筒体３４ａ内に挿入された棒状のインサート部３４ｂと、筒体３４ａの先端側に嵌挿されたスピン部材３４ｃとで形成されている。
前記インサート部３４ｂの外周面には長手方向に延びる複数の当接リブｆが付設されており、これら当接リブｆが筒体３４ａの内周面に接することで、筒体３４ａとの間に液体流路である間隙ｇを形成している。
前記スピン部材３４ｃは、中央部に射出孔４４を有するオリフィス板４２と、このオリフィス板の外周部から突設した嵌合筒部４０とからなり、この嵌合筒部４０を筒体３４ａとインサート部３４ｂとの間に嵌合させている。前記射出孔４４は間隙ｇに連通しており、またオリフィス板の裏面には公知のスピン機構が形成されている。
【００２４】
前述の基本的構成の作用を解説する。吐出器本体２を容器体１００の口頸部１０２に嵌合させて、正立状態又は倒立状態でトリガーを引くと、第１逆止弁Ｖ１が閉じると共に第２逆止弁Ｖ２が開き、シリンダ４内の液体が連絡孔２７、ステム３０、射出筒３４を通って射出孔４４から吐出される。トリガーを解放すると、第２逆止弁Ｖ２が閉じるとともに、第１逆止弁Ｖ１が開く。そして正立時には正立時用吸込口１９から正立時用逆止弁Ｖ４、連通口２０、共通流路２２を通って液体がシリンダ４内へ入る。また倒立時には倒立時用吸込口１８から倒立時用逆止弁Ｖ３、連通口２０、共通流路２２を通って液体がシリンダ４内へ入る。
【００２５】
本発明においては、吐出器本体２の射出筒３４の先端部３６外周面に発泡手段５０が設けられている。
【００２６】
発泡手段５０は、延長筒部５１とスライド筒５２で形成されている。
【００２７】
前記延長筒部５１は、前記射出筒３４から、その突出方向、本実施形態では射出筒３４の前方へ拡径して延びている。図示例の延長筒部５１は、図２に示す如く、前記射出筒３４に嵌合させた小径筒部５１ａを有し、この小径筒部５１ａから拡径部５１ｂを介して大径筒部５１ｃを前方へ突設している。もっともこの構造は適宜変更することができ、延長筒部５１は射出筒３４と一体に形成されていても構わない。
前記延長筒部５１の適所（図示例では拡径部５１ｂの上下２箇所）には空気孔Ｈを開口させている。前記小径筒部５１ａの後端部には外向きフランジ５１ｄが付設されている。また小径筒部５１ａの外面には、拡径部５１ｂから外向きフランジ５１ｄに亘って複数の補助リブ５１ｅが筒軸方向へ延びている。
【００２８】
前記スライド筒５２は、全体としてゴムやエラストマー等の軟材質で形成されており、その筒壁を前記大径筒部５１ｃの外周面に前後方向にスライド可能に設ける。その筒壁の後端部である基部５３Ｂには外向きフランジ状の指掛け用突部６０が付設されている。
もっとも指掛け用突片の形状は適宜変更することができる。
また前記筒壁の基部５３Ｂ内面にはストッパ５４が付設されている。ストッパ５４は、図２に示す泡吐出モードにおいて、前記拡径部５１ｂに当接しており、スライド筒５２の外方抜け出しを防止するとともに、泡吐出モードでのスライド筒の位置を決める位置決め手段としての役割を果たす。また前記ストッパ５４は、前記補助リブ５１ｅに当接している。
【００２９】
前記スライド筒５２の前端部である先部５３Ａには、図２の泡吐出モードにおいて筒壁内側へ延びる複数の弾性突片５８が形成されている。これら弾性突片５８付きのスライド筒５２は、図２に示す形状を原形状として成形される。
本実施形態では、スライド筒５２の筒壁前端部の内面に周方向に延びる弾性リブ５６を設け、この弾性リブ５６の内縁から弾性突片５８をスライド筒５２の内側へ突設している。
弾性リブ５６は、弾性突片５８が図５に示す原形状から図４に示す延長筒部５１の外面に沿った形状へ弾性変形し、或いは同形状から原形状に弾性復元するとときに、弾性突片５８とともに弾性変形し、或いは弾性復元する。弾性リブ５６を省略した場合に比べて、弾性リブ５６の弾性復元力が作用するため、各弾性突片５８の原形状への復帰を確実とすることができ、例えば弾性突片５８の弾性疲労により原形状に戻らないという不都合を生じにくい。
なお、好適な図示例では、スライド筒５２は前記図４に示す如く延長筒部５１に沿った状態で当該延長筒部５１より短くなるように設定されている。これはスライド筒５２が軟材質で形成されているため、前後方向に動いてしまう可能性があるので、延長筒部５１よりも前方に突出しないようにすることが望ましいからである。
図示例では、弾性リブ５６は、スライド筒５２の内面全周に亘って形成されているが、周方向の一部に設けてもよく、例えば２つの弾性突片５８の根本部分の間に弾性リブ５６を設けても構わない。
本実施形態において、弾性突片５８の形状は、図３に示す如く、根元側の外端部５８ａで幅広で内端部で先細になるようにしている。特に図示例では鋭角三角形状に形成されている。
本発明の弾性突片５８はスライド筒５２のスライド操作により弾性変形可能であると同時に、図５に示す泡吐出操作では、射出孔４４から吐出される霧状の液体を邪魔板として受け止め、発泡させる程度の強度を必要とする。
前述の弾性突片５８の形状は、こうした強度を確保する上で好適であるが、その形状は適宜変更することができる。
好適な図示例において、前記各弾性突片５８はスライド筒５２の内側に等角的に配置され、前記開口面Ａのうち弾性突片を除く部分に放射状流路Ｏを形成している。
【００３０】
図２の状態から吐出器本体２のトリガーを操作すると、図５に示す如く射出孔４４から吐出される霧状の液体が弾性突片５８に衝突するとともに、外気が空気孔Ｈを通って大径筒部５１ｃ内の空間に入る。これにより、液体が発泡し、放射状流路Ｏを介して外方へ泡が放出される。
【００３１】
次に図５の状態から図４に矢示する如く指掛け用突部６０を後方へ引っ張り、スライド筒５２を泡吐出モード用第１位置から霧吐出モード用の第２位置へ移動すると、スライド筒５２の弾性リブ５６及び弾性突片５８の外端部５８ａが延長筒部５１の先端Ｅにより前方へ押される。これにより、弾性リブ５６とともに弾性突片５８が延長筒部５１の開口面Ａから離れ、そして図４に示すように延長筒部５１の外面に沿った形状となる。
この状態で吐出器本体２のトリガーを操作すると、射出孔４４から吐出された液体は、弾性突片５８に衝突せずに霧として外部に放出される。
スライド筒５２を第２位置から第１位置に戻すと、前記先端Ｅによる押込みがなくなり、弾性リブ５６及び弾性突片５８の弾性復元力により、元の状態に戻る。
【符号の説明】
【００３２】
２…吐出器本体  ４…シリンダ  ６…鍔部  ６ａ…取付筒部
８…装着部材  ８ａ…装着筒部  ８ｂ…内向きフランジ
１０…保持部材  １０ａ…保持筒部  １０ｂ…案内筒部  １０ｃ…支持突片
１０ｄ…枢着部  １２…カバー部材  １３…トリガー  １４…ストッパ部材
１６…流路切替え用アダプタ  １６ａ…第１筒状部材  １６ｂ…第２筒状部材
１７…仕切り壁部  １７ａ…通液孔
１８…倒立時用透孔  １９…正立時用透孔  ２０…連通口  ２２…共通流路
２４…作動部材  ２６…ピストンガイド  ２６ａ…縦筒部  ２６ｂ…弁座
２６ｃ…十字状板部  ２７…連絡孔  ２８…筒状ピストン
３０…ステム  ３２…ヘッド  ３２ａ…連結筒部
３４…射出筒  ３４ａ…筒体  ３４ｂ…インサート部
３４ｃ…スピン部材  ３６…先端部  ４０…嵌合筒部  ４２…オリフィス板
４４…射出孔
５０…発泡手段  ５１…延長筒部  ５１ａ…小径筒部  ５１ｂ…拡径部
５１ｃ…大径筒部  ５１ｄ…外向きフランジ  ５１ｅ…補助リブ
５２…スライド筒  ５３Ａ…先部  ５３Ｂ…基部  ５４…ストッパ
５６…弾性リブ  ５８…弾性突片  ５８ａ…外端部  ５８ｂ…内端部
６０…指掛け用突部
１００…容器体  １０２…口頸部
Ａ…開口面  Ｂ…延長筒部内の空間  Ｃ…スプリング  Ｅ…延長筒部先端
ｆ…当接リブ  ｇ…間隙
Ｈ…空気孔  Ｇ…空気溝  Ｏ…放射状流路
Ｐ…パッキン  Ｓ…空間  Ｖ１…第１逆止弁  Ｖ２…第２逆止弁
Ｖ３…倒立時用補助逆止弁  Ｖ４…正立時用補助逆止弁  Ｘ…突出方向
【図１】
2018016395.tif 000003
【図２】
2018016395.tif 000004
【図３】
2018016395.tif 000005
【図４】
2018016395.tif 000006
【図５】
2018016395.tif 000007